(57)【要約】      （修正有）【課題】持ったまま安定した状態でメモ書きすることのできるシステムバッグを提供する。【解決手段】バッグ前面部１とバッグ後面部２とをファスナー３により開閉自在とし、かつ、バッグ前面部とバッグ後面部のいずれか一方のバッグ内側に、メモ帳収納部を備えたシステムバッグであって、メモ帳収納部が、メモ帳収納用の帯状物又はメモ帳収納用のポケットを備えた舌状部材４１と、舌状部材の下部方向に連結された延設部材４２と、舌状部材及び延設部材を保持する保持部材４３と、からなり、延設部材は、その下端には、保持部材からの脱落防止用部材４２１が設けられており、舌状部材及び延設部材は、舌状部材に備えられているメモ帳収納用の帯状物又はメモ帳収納用のポケットが表側の面となるように、折り畳まれた状態で、保持部材内を上下方向に摺動自在に、かつ、脱落防止用部材により脱落防止された状態で保持されている、システムバッグである。【選択図】図２
2019058310.tif 000002
【特許請求の範囲】
【請求項１】
バッグ前面部とバッグ後面部とをファスナーにより開閉自在とし、かつ、前記バッグ前面部と前記バッグ後面部のいずれか一方のバッグ内側に、メモ帳収納部を備えたシステムバッグであって、
前記メモ帳収納部が、
メモ帳収納用の帯状物又はメモ帳収納用のポケットを備えた舌状部材と、
前記舌状部材の下部方向に連結された延設部材と、
前記舌状部材及び前記延設部材を保持する保持部材と、からなり、
前記保持部材は、システムバッグ内にその左右両辺が取り付けられた横向きの帯状物からなり、
前記延設部材は、前記保持部材の左右両辺の長さより長く、かつ、前記バッグ内側の縦方向の長さよりは短くなるような、縦長さを有していて、前記保持部材の上辺に沿って折り返し自在となるように前記舌状部材に連結されていると共に、その下端には、前記保持部材からの脱落防止用部材が設けられており、
前記舌状部材及び前記延設部材は、
前記舌状部材に備えられている前記メモ帳収納用の帯状物又はメモ帳収納用のポケットが表側の面となるように、折り畳まれた状態で、前記保持部材内を上下方向に摺動自在に、かつ、前記脱落防止用部材により脱落防止された状態で保持されている、
システムバッグ。
【請求項２】
前記脱落防止用部材が、前記延設部材の下端に設けられている突出片からなり、前記舌状部材及び前記延設部材を上部方向に摺動させて、前記舌状部材の全部と前記延設部材の一部を前記バッグ内側よりバッグ外上方へ突出させたときに、前記脱落防止用部材が、前記保持部材の下辺に当接して、前記舌状部材の前記保持部材からの脱落を防止する、請求項１に記載のシステムバッグ。
【請求項３】
前記舌状部材が、前記メモ帳収納用の帯状物又はメモ帳収納用のポケットが設けられている側とは反対側に、メモ収納ポケットを備えているものである、請求項１又は２に記載のシステムバッグ。
【請求項４】
前記メモ帳収納部が備えられている側とは異なる反対側のシステムバッグ内に、その上下両辺が取り付けられたメモ帳収納用の縦向きの帯状物又はメモ帳収納用のポケットが備えられているものである、請求項１〜３のいずれかに記載のシステムバッグ。
【発明の詳細な説明】
【技術分野】
【０００１】
本発明は、メモパッドや筆記具などを収納することのできるシステムバッグに関する。
【背景技術】
【０００２】
メモパッドや筆記具などを収納し、随時メモ書きすることのできるシステムバッグ（多機能バッグ）が種々開発されており、例えば特許文献１に記載されているビジネスツール収納バッグが提案されている。
【０００３】
このビジネスツール収納バッグによれば、手帳、メモ帳、書類、筆記具等のビジネスツール及び名刺、キャッシュカード等のカード類を一まとめにスッキリ収納し、携帯することができる上、必要に応じて容易に取出すことができる。
【０００４】
しかしながら、このビジネスツール収納バッグは、ビジネスツールやカード類を必要に応じて容易に取出すことはできるものの、これを持ったままの状態でメモ書きすることは想定されておらず、このため、これを持ったまま安定した状態でメモ書きすることは極めて困難であった。
また、このビジネスツール収納バッグは、これを持ったままの状態でメモ書きすることができたとしても、安定した状態でメモ書きすることはそう容易ではなく、しかも粉塵等が舞い上がっているような劣悪な環境下では、メモを取る際に、バッグ内に粉塵等が多量に入ってしまうという問題があった。
【先行技術文献】
【特許文献】
【０００５】
【特許文献１】特開２００３−２５０６１８号公報
【発明の概要】
【発明が解決しようとする課題】
【０００６】
本発明は、上記従来の問題点を解消し、これを持ったまま安定した状態でメモ書きすることのできるシステムバッグを提供することを目的とするものである。
また、本発明は、粉塵等が舞い上がっているような劣悪な環境下でも、メモを取る際に、バッグ内に粉塵等が入ってしまうおそれの少ないシステムバッグを提供することを目的とするものである。
【課題を解決するための手段】
【０００７】
本発明者は、次の（１）〜（４）に関する。
（１）：バッグ前面部とバッグ後面部とをファスナーにより開閉自在とし、かつ、前記バッグ前面部と前記バッグ後面部のいずれか一方のバッグ内側に、メモ帳収納部を備えたシステムバッグであって、
前記メモ帳収納部が、
メモ帳収納用の帯状物又はメモ帳収納用のポケットを備えた舌状部材と、
前記舌状部材の下部方向に連結された延設部材と、
前記舌状部材及び前記延設部材を保持する保持部材と、からなり、
前記保持部材は、システムバッグ内にその左右両辺が取り付けられた横向きの帯状物からなり、
前記延設部材は、前記保持部材の左右両辺の長さより長く、かつ、前記バッグ内側の縦方向の長さよりは短くなるような、縦長さを有していて、前記保持部材の上辺に沿って折り返し自在となるように前記舌状部材に連結されていると共に、その下端には、前記保持部材からの脱落防止用部材が設けられており、
前記舌状部材及び前記延設部材は、
前記舌状部材に備えられている前記メモ帳収納用の帯状物又はメモ帳収納用のポケットが表側の面となるように、折り畳まれた状態で、前記保持部材内を上下方向に摺動自在に、かつ、前記脱落防止用部材により脱落防止された状態で保持されている、
システムバッグ。
（２）：前記脱落防止用部材が、前記延設部材の下端に設けられている突出片からなり、前記舌状部材及び前記延設部材を上部方向に摺動させて、前記舌状部材の全部と前記延設部材の一部を前記バッグ内側よりバッグ外上方へ突出させたときに、前記脱落防止用部材が、前記保持部材の下辺に当接して、前記舌状部材の前記保持部材からの脱落を防止する、前記（１）に記載のシステムバッグ。
（３）：前記舌状部材が、前記メモ帳収納用の帯状物又はメモ帳収納用のポケットが設けられている側とは反対側に、メモ収納ポケットを備えているものである、前記（１）又は（２）に記載のシステムバッグ。
（４）：前記メモ帳収納部が備えられている側とは異なる反対側のシステムバッグ内に、その上下両辺が取り付けられたメモ帳収納用の縦向きの帯状物又はメモ帳収納用のポケットが備えられているものである、前記（１）〜（３）のいずれかに記載のシステムバッグ。
【発明の効果】
【０００８】
本発明に係るシステムバッグによれば、これを持ったまま安定した状態でメモ書きすることができる。
また、本発明に係るシステムバッグによれば、粉塵等が舞い上がっているような劣悪な環境下でも、メモを取る際に、バッグ内に粉塵等が入ってしまうおそれが少ない。
しかも、本発明に係るシステムバッグによれば、簡単な操作でメモ帳収納部を外部（表側）へ出現させてメモ可能な状態とすることができることから、メモ書きを容易に行うことができる。
【図面の簡単な説明】
【０００９】
【図１】本発明に係るシステムバッグの一態様を示す説明図であって、ファスナー３により、システムバッグＡを開けた状態を示している。
【図２】図１におけるメモ帳収納部４の舌状部材４１を起こし開いた状態を示す説明図である。
【図３】図１における舌状部材４１に備えられているメモ帳収納用の帯状物４１Ａを示す説明図である。
【図４】舌状部材４１に備えられる、メモ帳収納用の帯状物４１Ａとは別態様のメモ帳収納用のポケット４１Ｂを示す説明図である。
【図５】図１に示すシステムバッグＡにメモ帳Ｍを収納した状態を示す説明図である。
【図６−１】図１に示すシステムバッグについて、システムバッグＡを閉じた状態を示す説明図である。  図６−１から図６−６は、図１に示すシステムバッグについて、システムバッグＡを閉じた状態から、メモ帳収納部４を外部へ出現させてメモ可能な状態とするまでの一連の操作手順を示す説明図である。
【図６−２】図６-１に示すシステムバッグＡを閉じた状態から、ファスナー３によりシステムバッグＡを左右に開いた状態を示す説明図である。
【図６−３】図６−２に示す状態から、メモ帳収納部４の舌状部材４１の全部と延設部材４２の一部とを起こし開いた状態を示す説明図である。
【図６−４】図６−３に示す状態から、メモ帳収納部４の舌状部材４１の全部と延設部材４２の一部をバッグ内側よりバッグ外上方へスライドさせて突出させた状態を示す説明図である。
【図６−５】図６−４に示す状態から、システムバッグＡのバッグ前面部１を右側方向に倒して、システムバッグＡを閉じた状態を示す説明図である。
【図６−６】図６−５に示す状態から、メモ帳収納部４の舌状部材４１の全部と延設部材４２の一部を、バッグ前面部１の上に折り返した（倒した）状態を示す説明図である。
【発明を実施するための形態】
【００１０】
本発明は、
バッグ前面部とバッグ後面部とをファスナーにより開閉自在とし、かつ、前記バッグ前面部と前記バッグ後面部のいずれか一方のバッグ内側に、メモ帳収納部を備えたシステムバッグであって、
前記メモ帳収納部が、
メモ帳収納用の帯状物又はメモ帳収納用のポケットを備えた舌状部材と、
前記舌状部材の下部方向に連結された延設部材と、
前記舌状部材及び前記延設部材を保持する保持部材と、からなり、
前記保持部材は、システムバッグ内にその左右両辺が取り付けられた横向きの帯状物からなり、
前記延設部材は、前記保持部材の左右両辺の長さより長く、かつ、前記バッグ内側の縦方向の長さよりは短くなるような、縦長さを有していて、前記保持部材の上辺に沿って折り返し自在となるように前記舌状部材に連結されていると共に、その下端には、前記保持部材からの脱落防止用部材が設けられており、
前記舌状部材及び前記延設部材は、
前記舌状部材に備えられている前記メモ帳収納用の帯状物又はメモ帳収納用のポケットが表側の面となるように、折り畳まれた状態で、前記保持部材内を上下方向に摺動自在に、かつ、前記脱落防止用部材により脱落防止された状態で保持されている、
システムバッグである。
【００１１】
以下、本発明に係るシステムバッグの形態例を図面に基づいて詳細に説明する。
図中、符号Ａはシステムバッグである。符号１はバッグ前面部を、符号２はバッグ後面部を、それぞれ示している。
【００１２】
バッグ前面部１とバッグ後面部２とは、ファスナー３により開閉自在とされている。
ファスナー３は、バッグ前面部１とバッグ後面部２との接続箇所（図では中央部の点線で示した箇所）を除く、周囲全面にわたり設けられ、システムバッグＡを、左右開きとなるように開閉する。
【００１３】
バッグ前面部１とバッグ後面部２のいずれか一方のバッグ内側には、メモ帳収納部４が備えられ、メモ帳を収納するようにしている。
図１は、本発明に係るシステムバッグの一態様を示す説明図であって、ファスナー３により、システムバッグＡを開けた状態を示している。
図１では、バッグ後面部２（図では右側）のバッグ内側に、メモ帳収納部４が備えられているものを示しているが、バッグ前面部１（図では左側）のバッグ内側に、メモ帳収納部４が備えられているものであってもよい。
なお、図中、符号５は、ペンホルダーである。
【００１４】
本発明は、このメモ帳収納部４に特徴を有するものである。
本発明においては、このメモ帳収納部４が、図２に示すように、舌状部材４１と、延設部材４２と、保持部材４３と、からなっている。
【００１５】
図２は、図１におけるメモ帳収納部４の舌状部材４１を上側へ起こし開いて、舌状部材４１と延設部材４２と保持部材４３とが水平となるようにした状態を示している。
【００１６】
舌状部材４１は、薄い舌状の部材からなるものであって、図１、図２では、薄い長方形状のものを示しているが、角のとれたオーバル形のものなど、薄い舌状様の部材であればよく、これらに限定されるものではない。
【００１７】
舌状部材４１は、上側へ起こし開いた状態から、これを延設部材４２との境目付近から二つに折り畳んで、バッグ内側に納めた状態としたときに、表側の面となる部位に、図１や図３に示すように、メモ帳収納用の帯状物４１Ａを備えたものであるが、メモ帳収納用の帯状物４１Ａの代わりに、図４に示すようなメモ帳収納用のポケット４１Ｂを備えたものとしてもよい。
即ち、舌状部材４１は、メモ帳を収納する場所であって、そのため、図３に示すようにメモ帳収納用の帯状物４１Ａを、或いは、メモ帳収納用の帯状物４１Ａの代わりに、図４に示すようにメモ帳収納用のポケット４１Ａを備えている。
メモ帳収納用の帯状物４１Ａ又はメモ帳収納用のポケット４１Ａに、メモ帳Ｍが収納される。
メモ帳Ｍとしては、通常、１枚ずつはぎ取るタイプのいわゆる「メモパッド」が用いられ、特にルーズリーフタイプのメモパッドが好適に用いられるが、これに限定されるものではない。
【００１８】
通常、メモ帳Ｍの裏表紙部分を、帯状物４１Ａ、或いは、ポケット４１Ｂに挿入することにより、システムバッグＡを開けたときには、メモ帳Ｍが見える状態で、つまりメモ書きできる状態で、メモ帳Ｍを収納することができる。図５は、図１に示すシステムバッグＡのメモ帳収納部４にメモ帳Ｍを収納した状態を示す説明図である。
【００１９】
舌状部材４１は、メモ帳収納用の帯状物４１Ａ又はメモ帳収納用のポケット４１Ｂが設けられている側とは反対側に、即ち、舌状部材４１を延設部材４２との境目付近から二つに折り畳んでバッグ内側に納めたとき、中側（内側）の見えない面となる部位に、図２に示すように、メモ収納ポケット４４を備えたものとすることができる。
つまり、図２に示すように、メモ帳収納部４の舌状部材４１を上側へ起こし開いて、舌状部材４１と延設部材４２と保持部材４３とが水平となるようにした場合に、見える側の舌状部材４１に、メモ収納ポケット４４を備えたものとすることができる。
このメモ収納ポケット４４に収納するメモとしては、特に制限はなく、前記したメモ帳Ｍと同様のものであってよく、１枚ずつはぎ取るタイプのメモパッドが通常用いられる。
【００２０】
この舌状部材４１の下部方向には、図２に示すように、延設部材４２が連結されている。
そして、舌状部材４１と延設部材４２とを、その上側から覆うように、保持部材４３が保持している。
【００２１】
保持部材４３は、システムバッグＡ内にその左右両辺が取り付けられた横向きの帯状物からなっている。
保持部材４３は、メモ帳収納部４をシステムバッグＡ内に納められるように、その縦方向の長さ（縦長さ）が、バッグ内側の縦方向の長さよりは、少なくとも後述する脱落防止用部材４２Ａの縦長さ分に、舌状部材４１をバッグ外上方へスライドさせて突出させる分を加えた長さだけは、短くなるようにされている。
【００２２】
延設部材４２は、保持部材４３の左右両辺の長さ（縦方向の長さ）より長く、かつ、バッグ内側の縦方向の長さよりは短くなるような、縦長さを有している。舌状部材４１も、バッグ内側の縦方向の長さよりは短くなるような、縦長さを有している。
延設部材４２は、保持部材４３の上辺に沿って折り返し自在となるように、柔軟性を持たせた状態で、舌状部材４１に連結されている。
延設部材４２の下端には、図２に示すように、保持部材４３から舌状部材４１及び延設部材４２が脱落することを防止する、脱落防止用部材４２１が設けられている。
【００２３】
舌状部材４１及び延設部材４２は、舌状部材４１に備えられているメモ帳収納用の帯状物４１Ａ又はメモ帳収納用のポケット４１Ｂが表側の面となるように二つに折り畳まれた状態で、保持部材４３内を上下方向に摺動自在に、かつ、脱落防止用部材４２１により脱落防止された状態で保持されている。
【００２４】
脱落防止用部材４２１は、延設部材４２の下端に設けられている突出片からなるものであり、図１、図２では、延設部材４２の下端の左右に一対設けられたものを示しているが、図１、図２の左側或いは右側に、１箇所設けたものであってもよい。
また、脱落防止用部材４２１の形状として、図２では、上下逆としたときに、片側でみると、略「鳥の嘴状」となるもの（両側全体でみると、上下逆としたときに略翼状となるもの）を示しているが、脱落防止を図ることができるものであれば、これに限定されるものではない。
上記のような脱落防止用部材４２１を、保持部材４３内の幅より突出させた形で延設部材４２の下端に設けることにより、舌状部材４１及び延設部材４２が、保持部材４３から脱落するのを防ぐことができる。
図１〜図３において、符号６は、延設部材４２の下端に設けられている、つまみ（つまり把持用片）である。
【００２５】
脱落防止用部材４２１は、舌状部材４１を折り返すために、舌状部材４１及び延設部材４２を上部方向に摺動（スライド）させて、舌状部材４１の全部と延設部材４２の一部をバッグ内側よりバッグ外上方へ突出させたときにおいて、この脱落防止用部材４２１が、保持部材４３の下辺に当接して、舌状部材４１が保持部材４３から脱落するのを防止するものである。
【００２６】
以上、本発明につき好適な形態例を挙げて種々説明してきたが、本発明はこの形態例に限定されるものではなく、本発明の精神を逸脱しない範囲内で多くの改変を施し得るのは勿論のことである。
【００２７】
以下、図６−１から図６−６を参照して、図１に示すシステムバッグについて、システムバッグＡを閉じた状態から、メモ帳収納部４を外部（表側）へ出現させてメモ可能な状態とするまでの一連の操作手順を説明する。
【００２８】
まず、持ち運ぶときには、図６−１に示すように、システムバッグＡは閉じられた状態となっている。
次に、この状態から、図６−２に示すように、ファスナー３によりシステムバッグＡを左右に開く。
次いで、この状態から、図６−３に示すように、メモ帳収納部４の舌状部材４１の全部と延設部材４２の一部とを起こし開く。
その後、この状態から、図６−４に示すように、メモ帳収納部４の舌状部材４１の全部と延設部材４２の一部をバッグ内側よりバッグ外上方へスライドさせて突出させる。
このように、メモ帳収納部４の舌状部材４１の全部と延設部材４２の一部をバッグ内側よりバッグ外上方へスライドさせて突出させることから、システムバッグＡのバッグ前面部１を右側方向に倒して、システムバッグＡを閉じた状態とすることができる。
即ち、次いで、図６−４に示す状態から、システムバッグＡのバッグ前面部１を右側方向に倒して、図６−５に示すように、メモ帳収納部４の舌状部材４１の全部と延設部材４２の一部をバッグ内側よりバッグ外上方へスライドさせた状態のまま、システムバッグＡを閉じる。
その後、この状態から、図６−６に示すように、メモ帳収納部４の舌状部材４１の全部と延設部材４２の一部を、バッグ前面部１の上に折り返す（手前側に倒す）ことにより、メモ帳収納部４（メモ帳収納部４の舌状部材４１）を外部（表側）へ出現させてメモ可能な状態とすることができる。
このように、本発明に係るシステムバッグによれば、簡単な操作で容易に、メモ帳収納部４（メモ帳収納部４の舌状部材４１）を外部（表側）へ出現させてメモ可能な状態とすることができる。
【００２９】
本発明においては、図６−４に示すように、舌状部材４１の全部と延設部材４２の一部をバッグ内側よりバッグ外上方へ突出させた状態とすることができることから、この状態で、バッグ前面部１の上に折り返す（手前側に倒す）ことが可能となっている。
このため、舌状部材４１と延設部材４２の一部とを起こし開いた状態で、舌状部材４１の全部と延設部材４２の一部をバッグ内側よりバッグ外上方へスライドさせて突出させた後に、バッグ前面部１を閉じた後、必要であればファスナー３も閉じた後に、メモ帳収納部４の舌状部材４１の全部と延設部材４２の一部を、バッグ前面部１の上に折り返す（手前側に倒す）ことにより、メモ帳収納部４、つまり舌状部材４１に備えられているメモ帳収納用の帯状物４１Ａ又はメモ帳収納用のポケット４１Ｂを、外部（表側）の面とすることができる。
従って、このビジネスツール収納バッグを持ったままの状態で、メモ帳収納部４に収納されているメモ帳Ｍにメモ書きすることができると共に、このビジネスツール収納バッグはほぼ閉じた状態（密閉された状態）となるため、粉塵等が舞い上がっているような劣悪な環境下でも、メモを取る際に、バッグ内に粉塵等が多量に入ってしまうというおそれが少ない。
【００３０】
なお、メモ帳収納部４が備えられている側とは異なる反対側のシステムバッグ内には、図に示すように、その上下両辺が取り付けられたメモ帳収納用の縦向きの帯状物４５が備えられている。縦向きの帯状物４５とすることにより、その右側から左側にかけて、或いは、その左側から右側にかけて、横開きタイプのメモ帳の表紙部分、或いは、その裏表紙部分、を差し込み、メモ帳を固定保持することになる。
上記したように、バッグ前面部１とバッグ後面部２のいずれか一方のバッグ内側であって、メモ帳収納部４が備えられている側とは異なる反対側のシステムバッグ内には、メモ帳収納用の縦向きの帯状物４５が備えられているが、ここをタブレット端末置き場としてタブレット端末を置くことができる。さらには、必要に応じて、この帯状物４５を取り去り、タブレット端末専用の置き場とする改変を施すこともできる。
なお、このようなメモ帳収納用の縦向きの帯状物４５の代わりに、メモ帳収納用の縦向きの帯状物としたり、或いは、メモ帳収納用のポケット（いずれも図示していない）を備えたものとすることもできる。
【符号の説明】
【００３１】
Ａ  システムバッグ
Ｍ  メモ帳
１  バッグ前面部
２  バッグ後面部
３  ファスナー
４  メモ帳収納部
４１  舌状部材
４１Ａ  メモ帳収納用の帯状物
４１Ｂ  メモ帳収納用のポケット
４２  延設部材
４３  保持部材
４４  メモ収納ポケット
４５  メモ帳収納用の縦向きの帯状物
４２１  脱落防止用部材
５  ペンホルダー
【図１】
2019058310.tif 000003
【図２】
2019058310.tif 000004
【図３】
2019058310.tif 000005
【図４】
2019058310.tif 000006
【図５】
2019058310.tif 000007
【図６−１】
2019058310.tif 000008
【図６−２】
2019058310.tif 000009
【図６−３】
2019058310.tif 000010
【図６−４】
2019058310.tif 000011
【図６−５】
2019058310.tif 000012
【図６−６】
2019058310.tif 000013